(57)【要約】【課題】複数の部屋等に分散して設置された複数の再生装置が再生する映像を１つの表示装置で表示できる映像伝送システムを提供する。【解決手段】再生装置５１１，５１２，５１３から表示装置５４０へ映像信号を伝送する映像伝送システムは、再生装置５１１，５１２，５１３毎に設けられ、自装置に対応する再生装置が出力する映像信号を無線回線を介して送信する送信側無線通信装置１１０，１２０，１３０と、送信側無線通信装置１１０，１２０，１３０毎に確立された複数の無線回線を介して映像信号を受信し、該受信した映像信号を表示装置５４０への映像入力信号として出力する受信側無線通信装置２００とを有する。受信側無線通信装置２００は、映像入力信号の切り替えが指示された場合に、複数の無線回線のうち自装置が映像信号を受信すべき無線回線を切り替える。【選択図】図１
2012161038.tif 000002
【特許請求の範囲】
【請求項１】
複数の再生装置から表示装置へ映像信号を伝送する映像伝送システムであって、
前記複数の再生装置毎に設けられる複数の送信側無線通信装置と、
前記複数の送信側無線通信装置との無線通信を行うと共に、前記表示装置への映像入力信号を出力する受信側無線通信装置と、
を有し、
前記複数の送信側無線通信装置のそれぞれは、自送信側無線通信装置に対応する再生装置から入力される映像信号を無線回線を介して前記受信側無線通信装置に送信し、
前記受信側無線通信装置は、前記複数の送信側無線通信装置毎に確立された複数の無線回線を介して映像信号を受信し、該受信した映像信号を前記表示装置への前記映像入力信号として出力しており、
前記受信側無線通信装置は、前記映像入力信号の切り替えが指示された場合に、前記複数の無線回線のうち自受信側無線通信装置が映像信号を受信すべき無線回線を切り替えることを特徴とする映像伝送システム。
【請求項２】
前記複数の送信側無線通信装置を遠隔制御する制御装置をさらに有し、
前記制御装置は、ユーザ操作を受け付ける入力装置からの第１の制御コマンドに基づいて、前記複数の送信側無線通信装置を遠隔制御し、
前記複数の送信側無線通信装置のそれぞれは、前記制御装置からの遠隔制御に従って、自送信側無線通信装置に対応する再生装置が解読可能な第２の制御コマンドを該再生装置に出力することを特徴とする請求項１に記載の映像伝送システム。
【請求項３】
前記制御装置は、前記表示装置への前記映像入力信号の切り替え時において、切り替え後の映像信号を出力すべき再生装置を電源オンするように、該再生装置に対応する送信側無線通信装置を遠隔制御することを特徴とする請求項２に記載の映像伝送システム。
【請求項４】
前記制御装置は、前記表示装置への前記映像入力信号の切り替え時において、切り替え前の映像信号を出力していた再生装置を電源オフするように、該再生装置に対応する送信側無線通信装置を遠隔制御することを特徴とする請求項２又は３に記載の映像伝送システム。
【請求項５】
前記制御装置は、前記表示装置が電源オフしたことに基づいて、前記複数の再生装置の全てを電源オフするように、前記複数の送信側無線通信装置を遠隔制御することを特徴とする請求項２〜４の何れか一項に記載の映像伝送システム。
【請求項６】
前記制御装置は、前記受信側無線通信装置を制御可能に構成されており、
前記制御装置は、前記複数の再生装置のうち一の再生装置が電源オンしたことに基づいて、前記受信側無線通信装置が映像信号を受信すべき無線回線を、前記一の再生装置に対応する無線回線に切り替えることを特徴とする請求項２〜５の何れか一項に記載の映像伝送システム。
【請求項７】
前記制御装置は、前記表示装置を制御可能に構成されており、
前記制御装置は、前記複数の再生装置の全てが電源オフしたことに基づいて、前記表示装置を電源オフするよう制御することを特徴とする請求項２〜６の何れか一項に記載の映像伝送システム。
【請求項８】
前記複数の送信側無線通信装置のそれぞれは、自送信側無線通信装置に対応する再生装置からアナログ映像信号が入力される場合に、該アナログ映像信号を特定のデジタル映像信号に変換した上で前記受信側無線通信装置に送信することを特徴とする請求項１〜７の何れか一項に記載の映像伝送システム。
【請求項９】
前記制御装置は、前記受信側無線通信装置に内蔵されることを特徴とする請求項２〜８の何れか一項に記載の映像伝送システム。
【請求項１０】
前記複数の再生装置は、映像信号を並行して出力し、
前記複数の送信側無線通信装置は、前記複数の再生装置が出力する映像信号を並行して送信し、
前記受信側無線通信装置は、
前記複数の無線回線を介して複数の映像信号を並行して受信し、
前記複数の映像信号のうちの１つを前記映像入力信号として出力し、
前記複数の映像信号のうちの残りの映像信号を一時的に記憶し、
前記映像入力信号の切り替えが指示された場合に、前記記憶していた映像信号の中から切り替え後の映像信号を出力する、
ことを特徴とする請求項１に記載の映像伝送システム。
【請求項１１】
複数の再生装置から表示装置へ映像信号を伝送する映像伝送システムで用いられる送信側無線通信装置であって、
前記複数の再生装置のうち自送信側無線通信装置に対応する再生装置が出力する映像信号を無線回線を介して送信する映像信号送信部と、
制御装置からの遠隔制御に応じて、前記複数の再生装置のうち自送信側無線通信装置に対応する再生装置が解読可能な制御コマンドを該再生装置に出力するコマンド出力部と、
を有することを特徴とする送信側無線通信装置。
【請求項１２】
複数の再生装置から表示装置へ映像信号を伝送する映像伝送システムで用いられる受信側無線通信装置であって、
複数の送信側無線通信装置毎に確立された複数の無線回線を介して映像信号を受信する映像信号受信部と、
該受信した映像信号を前記表示装置への映像入力信号として出力する映像信号出力部と、
を有し、
前記映像入力信号の切り替えが指示された場合に、前記複数の無線回線のうち自受信側無線通信装置が映像信号を受信すべき無線回線を切り替えることを特徴とする受信側無線通信装置。
【発明の詳細な説明】
【技術分野】
【０００１】
本発明は、映像信号を伝送する映像伝送システム、送信側無線通信装置、及び受信側無線通信装置に関する。
【背景技術】
【０００２】
近年、再生装置から表示装置へ映像信号を伝送する映像伝送システムにおいて、再生装置と表示装置との間のケーブル配策の煩雑性を軽減するために、ワイヤレスＨＤＭＩ（High-Definition Multimedia Interface）や無線ＬＡＮ（Local Area Network）を利用して、映像信号を無線回線を介して伝送する映像伝送システムが提供されている。
【０００３】
さらに、非特許文献１（以下、「背景技術」と称する）には、複数の再生装置に対して１つの表示装置を使い回すことが可能な映像伝送システムが開示されている。図８は、背景技術に係る映像伝送システムを説明するためのブロック図である。
【０００４】
図８に示すように、該映像伝送システムは、複数の再生装置５１１，５１２，５１３にＨＤＭＩケーブルを介して接続される送信側無線通信装置５２０と、表示装置５４０にＨＤＭＩケーブルを介して接続される受信側無線通信装置５３０とを有する。
【０００５】
送信側無線通信装置５２０は、リモコン５２１からの制御コマンドに応じて、表示装置５４０への映像入力信号の切り替え（以下、適宜「入力切り替え」と称する）を行い、複数の再生装置５１１，５１２，５１３の何れかが出力する映像信号を、無線ＬＡＮ回線を介して受信側無線通信装置５３０に送信する。
【０００６】
また、表示装置５４０は、リモコン５４１からの制御コマンドに応じて、ＨＤＭＩに従った制御コマンド（ＨＤＭＩ−ＣＥＣ信号）を出力する。該ＨＤＭＩ−ＣＥＣ信号は、受信側無線通信装置５３０及び送信側無線通信装置５２０を経由して複数の再生装置５１１，５１２，５１３に伝送され、複数の再生装置５１１，５１２，５１３が該ＨＤＭＩ−ＣＥＣ信号によって遠隔制御される。
【先行技術文献】
【非特許文献】
【０００７】
【非特許文献１】HDMI無線送受信ユニットHD-WirelessRD＆TD、http://lancerlink.shop24.makeshop.jp/shopdetail/001005000001/brandname/
【発明の概要】
【発明が解決しようとする課題】
【０００８】
ところで、家庭での利用シーンを想定すると、複数の部屋等に分散して設置されている複数の再生装置が再生する映像を、例えばリビングに設置されている１つの表示装置で表示したいというニーズがある。
【０００９】
しかしながら、背景技術に係る映像伝送システムでは、複数の部屋に分散設置された複数の再生装置のそれぞれの映像を遠隔より無線送信して１つの表示装置に表示することが困難であり、上記のニーズに応えることができないという問題があった。
【００１０】
そこで、本発明は、複数の部屋等に分散して設置された複数の再生装置が再生する映像を１つの表示装置で表示できる映像伝送システム、送信側無線通信装置、及び受信側無線通信装置を提供することを目的とする。
【課題を解決するための手段】
【００１１】
上述した課題を解決するために、本発明は以下のような特徴を有している。
【００１２】
まず、本発明に係る映像伝送システムの特徴は、複数の再生装置（再生装置５１１，５１２，５１３）から表示装置（表示装置５４０）へ映像信号を伝送する映像伝送システムであって、前記複数の再生装置毎に設けられる複数の送信側無線通信装置（送信側無線通信装置１１０，１２０，１３０）と、前記複数の送信側無線通信装置との無線通信を行うと共に、前記表示装置への映像入力信号を出力する受信側無線通信装置（受信側無線通信装置２００）と、を有し、前記複数の送信側無線通信装置のそれぞれは、自送信側無線通信装置に対応する再生装置から入力される映像信号を無線回線を介して前記受信側無線通信装置に送信し、前記受信側無線通信装置は、前記複数の送信側無線通信装置毎に確立された複数の無線回線を介して映像信号を受信し、該受信した映像信号を前記表示装置への前記映像入力信号として出力しており、前記受信側無線通信装置は、前記映像入力信号の切り替えが指示された場合に、前記複数の無線回線のうち自受信側無線通信装置が映像信号を受信すべき無線回線を切り替えることを要旨とする。
【００１３】
このような特徴によれば、複数の再生装置毎に送信側無線通信装置を設けることによって、複数の再生装置が複数の部屋等に分散して設置される場合でも、複数の再生装置のそれぞれの近傍に送信側無線通信装置を設置可能であるため、再生装置と送信側無線通信装置とを容易に接続できる。また、映像入力信号の切り替え機能を受信側無線通信装置に持たせることによって、複数の再生装置に対して１つの表示装置を使い回すことが可能である。従って、上記特徴によれば、複数の部屋等に分散して設置された複数の再生装置が再生する映像を１つの表示装置で表示できる映像伝送システムが提供される。
【００１４】
本発明に係る映像伝送システムの他の特徴は、上記特徴に係る映像伝送システムにおいて、前記複数の送信側無線通信装置を遠隔制御する制御装置（制御装置３００又は３００’）をさらに有し、前記制御装置は、ユーザ操作を受け付ける入力装置（リモコン３０１）からの第１の制御コマンド（共通コマンド）に基づいて、前記複数の送信側無線通信装置を遠隔制御し、前記複数の送信側無線通信装置のそれぞれは、前記制御装置からの遠隔制御に従って、自送信側無線通信装置に対応する再生装置が解読可能な第２の制御コマンド（個別コマンド）を該再生装置に出力することを要旨とする。
【００１５】
このような特徴によれば、第１の制御コマンドに基づいて制御装置が複数の送信側無線通信装置を遠隔制御し、複数の送信側無線通信装置のそれぞれが該遠隔制御に従って、自送信側無線通信装置に対応する再生装置が解読可能な第２の制御コマンドを該再生装置に出力する。これにより、ＨＤＭＩ−ＣＥＣ信号をサポートしていないアナログ方式等の再生装置についても遠隔制御することができる。また、入力装置（リモコン等）を操作するユーザは、例えばリビングに設置された表示装置を用いて試聴しながら、複数の部屋等に分散して設置されている複数の再生装置のそれぞれを遠隔制御することができる。
【００１６】
本発明に係る映像伝送システムの他の特徴は、上記特徴に係る映像伝送システムにおいて、前記制御装置は、前記表示装置への前記映像入力信号の切り替え時において、切り替え後の映像信号を出力すべき再生装置を電源オンするように、該再生装置に対応する送信側無線通信装置を遠隔制御することを要旨とする。また、前記制御装置は、前記表示装置への前記映像入力信号の切り替え時において、切り替え前の映像信号を出力していた再生装置を電源オフするように、該再生装置に対応する送信側無線通信装置を遠隔制御することを要旨とする。
【００１７】
このような特徴によれば、切り替え後の映像信号を出力すべき再生装置を電源オンするように、該再生装置に対応する送信側無線通信装置を制御装置が遠隔制御することによって、ユーザが該再生装置をオンするための操作を省略可能になるため、ユーザの利便性を高めることができる。また、切り替え前の映像信号を出力していた再生装置を電源オフするように、該再生装置に対応する送信側無線通信装置を制御装置が遠隔制御することによって、該再生装置の消費電力を削減可能になり、省エネルギー化を図ることができる。
【００１８】
本発明に係る映像伝送システムの他の特徴は、上記特徴に係る映像伝送システムにおいて、前記制御装置は、前記表示装置が電源オフしたことに基づいて、前記複数の再生装置の全てを電源オフするように、前記複数の送信側無線通信装置を遠隔制御することを要旨とする。
【００１９】
このような特徴によれば、表示装置が電源オフしたことに基づいて、複数の再生装置の全てを電源オフするように、複数の送信側無線通信装置を遠隔制御することによって、各再生装置の消費電力を削減可能になり、省エネルギー化を図ることができる。
【００２０】
本発明に係る映像伝送システムの他の特徴は、上記特徴に係る映像伝送システムにおいて、前記制御装置は、前記受信側無線通信装置を制御可能に構成されており、前記制御装置は、前記複数の再生装置のうち一の再生装置が電源オンしたことに基づいて、前記受信側無線通信装置が映像信号を受信すべき無線回線を、前記一の再生装置に対応する無線回線に切り替えることを要旨とする。
【００２１】
このような特徴によれば、複数の再生装置のうち一の再生装置が電源オンしたことに基づいて、受信側無線通信装置が映像信号を受信すべき無線回線を、該一の再生装置に対応する無線回線に切り替えることによって、ユーザによる入力切り替え操作を省略可能になるため、ユーザの利便性を高めることができる。
【００２２】
本発明に係る映像伝送システムの他の特徴は、上記特徴に係る映像伝送システムにおいて、前記制御装置は、前記表示装置を制御可能に構成されており、前記制御装置は、前記複数の再生装置の全てが電源オフしたことに基づいて、前記表示装置を電源オフするよう制御することを要旨とする。
【００２３】
このような特徴によれば、複数の再生装置の全てが電源オフしたことに基づいて、表示装置を電源オフすることによって、表示装置の消費電力を削減可能になり、省エネルギー化を図ることができる。
【００２４】
本発明に係る映像伝送システムの他の特徴は、上記特徴に係る映像伝送システムにおいて、前記複数の送信側無線通信装置のそれぞれは、自送信側無線通信装置に対応する再生装置からアナログ映像信号が入力される場合に、該アナログ映像信号を特定のデジタル映像信号（ＨＤＭＩ信号）に変換した上で前記受信側無線通信装置に送信することを要旨とする。
【００２５】
このような特徴によれば、複数の送信側無線通信装置のそれぞれは、自送信側無線通信装置に対応する再生装置からアナログ映像信号が入力される場合に、該アナログ映像信号を特定のデジタル映像信号（例えばＨＤＭＩ信号）に変換した上で送信する。これにより、アナログ方式の再生装置を用いる場合でも、映像信号をデジタル伝送することが可能になる。
【００２６】
本発明に係る映像伝送システムの他の特徴は、上記特徴に係る映像伝送システムにおいて、前記制御装置は、前記受信側無線通信装置に内蔵されることを要旨とする。
【００２７】
このような特徴によれば、制御装置が受信側無線通信装置に内蔵されるため、制御装置としてのサーバを別途設ける必要が無く、コスト等を削減できる。
【００２８】
本発明に係る映像伝送システムの他の特徴は、上記特徴に係る映像伝送システムにおいて、前記複数の再生装置は、映像信号を並行して出力し、前記複数の送信側無線通信装置は、前記複数の再生装置が出力する映像信号を並行して送信し、前記受信側無線通信装置は、前記複数の無線回線を介して複数の映像信号を並行して受信し、前記複数の映像信号のうちの１つを前記映像入力信号として出力し、前記複数の映像信号のうちの残りの映像信号を一時的に記憶し、前記映像入力信号の切り替えが指示された場合に、前記記憶していた映像信号の中から切り替え後の映像信号を出力する、ことを要旨とする。
【００２９】
このような特徴によれば、映像入力信号の切り替え時において、バッファリング（あるいはキャッシング）していた映像信号を出力することによって、映像入力信号の切り替えの切り替えを即座に実施することが可能になり、表示装置に表示される映像の瞬断期間を短縮できる。
【００３０】
本発明に係る送信側無線通信装置の特徴は、複数の再生装置（再生装置５１１，５１２，５１３）から表示装置（表示装置５４０）へ映像信号を伝送する映像伝送システムで用いられる送信側無線通信装置（例えば送信側無線通信装置１１０）であって、前記複数の再生装置のうち自送信側無線通信装置に対応する再生装置（例えば再生装置５１１）が出力する映像信号を無線回線を介して送信する映像信号送信部（例えば無線ＬＡＮ通信部１１３＃１）と、制御装置（制御装置３００又は３００’）からの遠隔制御に応じて、前記複数の再生装置のうち自送信側無線通信装置に対応する再生装置（例えば再生装置５１１）が解読可能な制御コマンド（個別コマンド）を該再生装置に出力するコマンド出力部（例えば赤外線送信部１１１）と、を有することを要旨とする。
【００３１】
本発明に係る受信側無線通信装置の特徴は、複数の再生装置（再生装置５１１，５１２，５１３）から表示装置（表示装置５４０）へ映像信号を伝送する映像伝送システムで用いられる受信側無線通信装置（受信側無線通信装置２００）であって、複数の送信側無線通信装置（送信側無線通信装置１１０，１２０，１３０）毎に確立された複数の無線回線を介して映像信号を受信する映像信号受信部（無線ＬＡＮ通信部２１０＃１）と、該受信した映像信号を前記表示装置への映像入力信号として出力する映像信号出力部（ＨＤＭＩインターフェイス２２０）と、を有し、前記映像入力信号の切り替えが指示された場合に、前記複数の無線回線のうち自受信側無線通信装置が映像信号を受信すべき無線回線を切り替えることを要旨とする。
【発明の効果】
【００３２】
本発明によれば、複数の部屋等に分散して設置された複数の再生装置が再生する映像を１つの表示装置で表示できる映像伝送システム、送信側無線通信装置、及び受信側無線通信装置を提供できる。
【図面の簡単な説明】
【００３３】
【図１】本発明の実施形態に係る映像伝送システムの全体概略構成図である。
【図２】本発明の実施形態に係る制御装置の内部構成を示すブロック図である。
【図３】本発明の実施形態に係る送信側無線通信装置の内部構成を示すブロック図である。
【図４】本発明の実施形態に係る受信側無線通信装置の内部構成を示すブロック図である。
【図５】本発明の実施形態に係る再生装置制御動作を示すフローチャートである。
【図６】本発明の実施形態に係る映像信号伝送動作を示すフローチャートである。
【図７】本発明の実施形態の変更例に係る映像伝送システムの全体概略構成図である。
【図８】背景技術に係る映像伝送システムを説明するためのブロック図である。
【発明を実施するための形態】
【００３４】
図面を参照して、本発明の実施形態について、（１）映像伝送システムの構成、（２）映像伝送システムの動作、（３）実施形態の効果、（４）実施形態の変更例、（５）その他の実施形態の順に説明する。以下の実施形態における図面において、同一又は類似の部分には同一又は類似の符号を付す。
【００３５】
（１）映像伝送システムの構成
以下、本実施形態に係る映像伝送システムの構成について、（１．１）映像伝送システムの全体概略構成、（１．２）映像伝送システムの詳細構成の順に説明する。
【００３６】
（１．１）映像伝送システムの全体概略構成
図１は、本実施形態に係る映像伝送システムの全体概略構成図である。本実施形態では、映像伝送システムが家庭内に構築されるケースを想定している。
【００３７】
図１に示すように、本実施形態に係る映像伝送システムは、複数の再生装置５１１，５１２，５１３と、複数の送信側無線通信装置１１０，１２０，１３０と、受信側無線通信装置２００と、制御装置３００と、表示装置５４０とを有する。
【００３８】
再生装置５１１，５１２，５１３は、例えばそれぞれ異なる部屋に分散して設置されている。再生装置５１１，５１２，５１３は、例えばテレビチューナ、ＰＣ（Personal Computer）、ＨＤＤ（Hard Disk Drive）レコーダ、又はＤＶＤ（Digital Versatile Disc）プレーヤ等であり、映像を再生可能な装置である。再生装置５１１，５１２，５１３は、映像だけでなく音声も再生可能であってもよいが、本実施形態では映像信号に関して説明する。
【００３９】
再生装置５１１は、ＨＤＭＩをサポートしていないアナログ方式の再生装置である。再生装置５１１は、赤外線による制御コマンド入力と、コンポジット方式による映像信号出力とをサポートする。なお、コンポジット方式による映像信号出力だけでなく、Ｓ端子出力を更にサポートしてもよい。
【００４０】
再生装置５１２は、ＨＤＭＩをサポートしているデジタル方式の再生装置である。再生装置５１２は、ＨＤＭＩによる制御コマンド入力と、ＨＤＭＩによる映像信号出力とをサポートする。
【００４１】
再生装置５１３は、ＨＤＭＩをサポートしていないアナログ方式の再生装置である。再生装置５１３は、ＨＴＴＰ（Hyper Text Transfer Protocol）による制御コマンド入力と、ＲＧＢ方式による映像信号出力とをサポートする。
【００４２】
送信側無線通信装置１１０，１２０，１３０は、無線ＬＡＮによる無線通信をサポートしており、再生装置５１１，５１２，５１３にそれぞれ近接して設置されている。
【００４３】
送信側無線通信装置１１０は、コンポジットケーブルを介して再生装置５１１に接続される。送信側無線通信装置１１０は、赤外線による制御コマンド出力と、コンポジット方式による映像信号入力とをサポートする。
【００４４】
送信側無線通信装置１２０は、ＨＤＭＩケーブルを介して再生装置５１２に接続される。送信側無線通信装置１２０は、ＨＤＭＩによる制御コマンド出力と、ＨＤＭＩによる映像信号入力とをサポートする。
【００４５】
送信側無線通信装置１３０は、ＲＧＢケーブル及び有線ＬＡＮケーブルを介して再生装置５１３に接続される。送信側無線通信装置１３０は、ＨＴＴＰによる制御コマンド出力と、ＲＧＢ方式による映像信号入力とをサポートする。
【００４６】
受信側無線通信装置２００は、無線ＬＡＮによる無線通信をサポートしており、表示装置５４０に近接して設置されている。受信側無線通信装置２００は、送信側無線通信装置１１０，１２０，１３０との間に無線回線を確立している。具体的には、送信側無線通信装置１１０と受信側無線通信装置２００との間に無線回線＃１が、送信側無線通信装置１２０と受信側無線通信装置２００との間に無線回線＃２が、送信側無線通信装置１３０と受信側無線通信装置２００との間に無線回線＃３がそれぞれ確立されている。受信側無線通信装置２００は、ＨＤＭＩケーブルを介して表示装置５４０に接続される。
【００４７】
表示装置５４０は、液晶ディスプレイ、プラズマディスプレイ、又はプロジェクタ等であり、映像を表示可能な装置である。表示装置５４０は、例えばリビングに設置されている。表示装置５４０は、リモコン５４１からの制御コマンドを受け付ける。
【００４８】
制御装置３００は、無線ＬＡＮによる無線通信をサポートするサーバであり、送信側無線通信装置１１０，１２０，１３０と受信側無線通信装置２００とを制御する。制御装置３００は、リモコン３０１からの制御コマンド（共通コマンド）を受け付ける。
【００４９】
このように構成された映像伝送システムにおいて、送信側無線通信装置１１０，１２０，１３０は、再生装置５１１，５１２，５１３が出力する映像信号を無線回線＃１〜＃３を介して送信する。受信側無線通信装置２００は、無線回線＃１〜＃３を介して映像信号を受信し、該受信した映像信号を表示装置５４０への映像入力信号として出力する。また、受信側無線通信装置２００は、入力切り替えが制御装置３００から指示された場合に、無線回線＃１〜＃３のうち自装置が映像信号を受信すべき無線回線を切り替える。このように、受信側無線通信装置２００は、入力切り替え機能を有している。
【００５０】
制御装置３００は、ユーザ操作を受け付けるリモコン３０１からの共通コマンド（第１の制御コマンド）に基づいて、送信側無線通信装置１１０，１２０，１３０を遠隔制御する。送信側無線通信装置１１０，１２０，１３０のそれぞれは、制御装置３００又は３００’からの遠隔制御に従って、自装置に対応する再生装置が解読可能な個別コマンド（第２の制御コマンド）を該再生装置に出力する。
【００５１】
本実施形態では、制御装置３００は、再生開始、再生停止、早送り、巻き戻し等の指示内容を示す共通コマンドを、再生装置５１１，５１２，５１３のそれぞれが解読可能な個別コマンドに変換する機能を有する。制御装置３００は、個別コマンドを送信側無線通信装置１１０，１２０，１３０に送信し、個別コマンドを受信した送信側無線通信装置は、受信した個別コマンドを自装置に対応する再生装置に出力する。
【００５２】
例えば、制御装置３００は、再生装置５１１が再生対象である場合に、再生開始を示す共通コマンドをリモコン３０１から受け付けると、再生装置５１１用のコマンドテーブルを参照して、該共通コマンドに対応する個別コマンドを取得し、該個別コマンドを送信側無線通信装置１１０に送信する。送信側無線通信装置１１０は、制御装置３００から個別コマンドを受信すると、該個別コマンドを赤外線により再生装置５１１に送信する。再生装置５１１は、送信側無線通信装置１１０から受信した個別コマンドに従って映像の再生を開始する。なお、制御装置３００は、再生装置５１１，５１２，５１３のそれぞれに対応したコマンドテーブルを予め記憶しているものとする。
【００５３】
また、送信側無線通信装置１１０，１２０，１３０のそれぞれは、自装置に対応する再生装置からアナログ映像信号（コンポジット信号又はＲＧＢ信号）が入力される場合に、該アナログ映像信号をＨＤＭＩ信号に変換した上で送信する。例えば、送信側無線通信装置１１０は、再生装置５１１から入力されるコンポジット信号をＨＤＭＩ信号に変換し、該ＨＤＭＩ信号を無線ＬＡＮによる無線回線＃１を介して受信側無線通信装置２００に送信する。なお、アナログ映像信号からＨＤＭＩ信号への変換については既存の技術を利用できる。
【００５４】
なお、送信側無線通信装置１１０，１２０，１３０と受信側無線通信装置２００との間の無線通信は、高速・大容量であることが要求されるため、例えば５ＧＨｚ帯のＩＥＥＥ８０２．１１ｎによる無線ＬＡＮを適用することが好ましい。これに対し、制御装置３００と、送信側無線通信装置１１０，１２０，１３０及び受信側無線通信装置２００との間の無線通信は、高速・大容量であることが要求されないため、例えば２．４ＧＨｚ帯のＩＥＥＥ８０２．１１ｇによる無線ＬＡＮを適用することが好ましい。
【００５５】
（１．２）映像伝送システムの詳細構成
次に、本実施形態に係る映像伝送システムの詳細構成について、（１．２．１）制御装置の内部構成、（１．２．２）送信側無線通信装置の内部構成、（１．２．３）受信側無線通信装置の内部構成の順に説明する。
【００５６】
（１．２．１）制御装置の内部構成
図２は、制御装置３００の内部構成を示すブロック図である。
【００５７】
図２に示すように、制御装置３００は、リモコン受信部３１０と、無線ＬＡＮ通信部３２０と、記憶部３３０と、制御部３４０とを含む。
【００５８】
リモコン受信部３１０は、リモコン３０１からの共通コマンドを赤外線又は電波により受信し、受信した共通コマンドを制御部３４０に出力する。共通コマンドには、コマンド変換が不要なもの（例えば、再生装置の切り替えコマンド、入力切り替えコマンド、受信側無線通信装置２００の電源オン／オフコマンド等）と、コマンド変換が必要なもの（例えば、再生開始コマンド、再生停止コマンド、早送りコマンド、巻き戻しコマンド等）とが含まれる。
【００５９】
無線ＬＡＮ通信部３２０は、無線ＬＡＮによる無線通信を送信側無線通信装置１１０，１２０，１３０及び受信側無線通信装置２００と実行する。
【００６０】
記憶部３３０は、例えばメモリを用いて構成されており、制御部３４０によって実行されるプログラムを記憶すると共に、制御部３４０によって作業領域として使用される。記憶部３３０は、再生装置５１１，５１２，５１３毎のコマンドテーブルを記憶する。例えば、様々な再生装置に対応したコマンドテーブルが予め記憶部３３０に記憶されており、初期設定時に再生装置５１１，５１２，５１３の属性（プロファイル）を指定することによって、各再生装置５１１，５１２，５１３に適したコマンドテーブルが自動で設定される。
【００６１】
制御部３４０は、例えばＣＰＵを用いて構成されており、記憶部３３０に記憶されているプログラムを実行することによって、制御装置３００の各種の機能を制御する。制御部３４０は、コマンド変換が必要な共通コマンドがリモコン受信部３１０から入力されると、再生対象の再生装置を判別し、記憶部３３０に記憶されている該再生装置用のコマンドテーブルの中から、該共通コマンドに対応する個別コマンドを取得する。そして、制御部３４０は、取得した個別コマンドを該再生装置に対応する送信側無線通信装置に送信するよう無線ＬＡＮ通信部３２０を制御する。
【００６２】
（１．２．２）送信側無線通信装置の内部構成
図３は、送信側無線通信装置１１０，１２０，１３０の内部構成を示すブロック図である。詳細には、図３（ａ）は送信側無線通信装置１１０の内部構成を示すブロック図であり、図３（ｂ）は送信側無線通信装置１２０の内部構成を示すブロック図であり、図３（ｃ）は送信側無線通信装置１３０の内部構成を示すブロック図である。
【００６３】
図３（ａ）に示すように、送信側無線通信装置１１０は、赤外線送信部１１１と、コンポジット信号入力部１１２と、無線ＬＡＮ通信部１１３＃１と、無線ＬＡＮ通信部１１３＃２と、記憶部１１４と、制御部１１５とを含む。
【００６４】
赤外線送信部１１１は、無線ＬＡＮ通信部１１３＃２によって受信された個別コマンドが制御部１１５から入力され、該個別コマンドを赤外線により送信する。赤外線送信部１１１は、個別コマンドを出力するコマンド出力部に相当する。
【００６５】
なお、送信側無線通信装置１１０は、赤外線送信部１１１が再生装置５１１の赤外線受信部（不図示）に対向するようにして設置される。あるいは、赤外線送信部１１１を別体とし、制御部１１５と赤外線送信部１１１との間にケーブルを設け、赤外線送信部１１１のみを再生装置５１１の赤外線受信部（不図示）に対向して設置してもよい。
【００６６】
コンポジット信号入力部１１２は、コンポジットケーブルを介して、再生装置５１１のコンポジット出力（不図示）に接続される。コンポジット信号入力部１１２は、コンポジットケーブルを介してコンポジット信号が入力され、該コンポジット信号を制御部１１５に出力する。
【００６７】
無線ＬＡＮ通信部１１３＃１は、受信側無線通信装置２００との無線ＬＡＮ通信を実行する。無線ＬＡＮ通信部１１３＃２は、制御装置３００との無線ＬＡＮ通信を実行する。無線ＬＡＮ通信部１１３＃１は、映像信号を無線回線を介して送信する映像信号送信部に相当する。
【００６８】
記憶部１１４は、例えばメモリを用いて構成されており、制御部１１５によって実行されるプログラムを記憶すると共に、制御部１１５によって作業領域として使用される。
【００６９】
制御部１１５は、例えばＣＰＵを用いて構成されており、記憶部１１４に記憶されているプログラムを実行することによって、送信側無線通信装置１１０の各種の機能を制御する。制御部１１５は、無線ＬＡＮ通信部１１３＃２が制御装置３００からの個別コマンドを受信すると、受信した個別コマンドを出力するよう赤外線送信部１１１を制御する。
【００７０】
また、制御部１１５は、コンポジット信号入力部１１２から入力されるコンポジット信号をＨＤＭＩ信号に変換し、該ＨＤＭＩ信号を無線ＬＡＮによる無線回線＃１を介して受信側無線通信装置２００に送信するよう無線ＬＡＮ通信部１１３＃１を制御する。
【００７１】
次に、図３（ｂ）に示すように、送信側無線通信装置１２０は、ＨＤＭＩインターフェイス１２１と、無線ＬＡＮ通信部１２３＃１と、無線ＬＡＮ通信部１２３＃２と、記憶部１２４と、制御部１２５とを含む。
【００７２】
ＨＤＭＩインターフェイス１２１は、ＨＤＭＩケーブルを介して再生装置５１２に接続される。ＨＤＭＩインターフェイス１２１は、無線ＬＡＮ通信部１２３＃２によって受信された個別コマンドが制御部１２５から入力され、該個別コマンドをＨＤＭＩにより送信する。ＨＤＭＩインターフェイス１２１は、個別コマンドを出力するコマンド出力部に相当する。
【００７３】
また、ＨＤＭＩインターフェイス１２１は、ＨＤＭＩケーブルを介してＨＤＭＩ信号が入力され、該ＨＤＭＩ信号を制御部１２５に出力する。
【００７４】
無線ＬＡＮ通信部１２３＃１は、受信側無線通信装置２００との無線ＬＡＮ通信を実行する。無線ＬＡＮ通信部１２３＃２は、制御装置３００との無線ＬＡＮ通信を実行する。無線ＬＡＮ通信部１２３＃１は、映像信号を無線回線を介して送信する映像信号送信部に相当する。
【００７５】
記憶部１２４は、例えばメモリを用いて構成されており、制御部１２５によって実行されるプログラムを記憶すると共に、制御部１２５によって作業領域として使用される。
【００７６】
制御部１２５は、例えばＣＰＵを用いて構成されており、記憶部１２４に記憶されているプログラムを実行することによって、送信側無線通信装置１２０の各種の機能を制御する。制御部１２５は、無線ＬＡＮ通信部１２３＃２が制御装置３００からの個別コマンドを受信すると、受信した個別コマンドを出力するようＨＤＭＩインターフェイス１２１を制御する。
【００７７】
また、制御部１２５は、ＨＤＭＩインターフェイス１２１から入力されるＨＤＭＩ信号を、無線ＬＡＮによる無線回線＃２を介して受信側無線通信装置２００に送信するよう無線ＬＡＮ通信部１２３＃１を制御する。
【００７８】
次に、図３（ｃ）に示すように、送信側無線通信装置１３０は、有線ＬＡＮインターフェイス１３１と、ＲＧＢ信号入力部１３２と、無線ＬＡＮ通信部１３３＃１と、無線ＬＡＮ通信部１３３＃２と、記憶部１３４と、制御部１３５とを含む。
【００７９】
有線ＬＡＮインターフェイス１３１は、有線ＬＡＮケーブルを介して再生装置５１３に接続される。有線ＬＡＮインターフェイス１３１は、無線ＬＡＮ通信部１３３＃２によって受信された個別コマンド（ＨＴＴＰ）が制御部１３５から入力され、該個別コマンドを有線ＬＡＮケーブルを介して送信する。有線ＬＡＮインターフェイス１３１は、個別コマンドを出力するコマンド出力部に相当する。
【００８０】
ＲＧＢ信号入力部１３２は、ＲＧＢケーブルを介して、再生装置５１３のＲＧＢ出力（不図示）に接続される。ＲＧＢ信号入力部１３２は、ＲＧＢケーブルを介してＲＧＢ信号が入力され、該ＲＧＢ信号を制御部１３５に出力する。
【００８１】
無線ＬＡＮ通信部１３３＃１は、受信側無線通信装置２００との無線ＬＡＮ通信を実行する。無線ＬＡＮ通信部１３３＃２は、制御装置３００との無線ＬＡＮ通信を実行する。無線ＬＡＮ通信部１３３＃１は、映像信号を無線回線を介して送信する映像信号送信部に相当する。
【００８２】
記憶部１３４は、例えばメモリを用いて構成されており、制御部１３５によって実行されるプログラムを記憶すると共に、制御部１３５によって作業領域として使用される。
【００８３】
制御部１３５は、例えばＣＰＵを用いて構成されており、記憶部１３４に記憶されているプログラムを実行することによって、送信側無線通信装置１３０の各種の機能を制御する。制御部１３５は、無線ＬＡＮ通信部１３３＃２が制御装置３００からの個別コマンドを受信すると、受信した個別コマンドを出力するよう有線ＬＡＮインターフェイス１３１を制御する。
【００８４】
また、制御部１３５は、ＲＧＢ信号入力部１３２から入力されるＲＧＢ信号をＨＤＭＩ信号に変換し、該ＨＤＭＩ信号を無線ＬＡＮによる無線回線＃３を介して受信側無線通信装置２００に送信するよう無線ＬＡＮ通信部１３３＃１を制御する。
【００８５】
なお、送信側無線通信装置１１０，１２０，１３０のそれぞれは、赤外線送信部１１１、コンポジット信号入力部１１２、ＨＤＭＩインターフェイス１２１、有線ＬＡＮインターフェイス１３１、ＲＧＢ信号入力部１３２の全てを含んで構成されてもよい。このように構成することによって、コストは増大するものの、様々な再生装置に接続可能な送信側無線通信装置が提供される。
【００８６】
（１．２．３）受信側無線通信装置の内部構成
図４は、受信側無線通信装置２００の内部構成を示すブロック図である。
【００８７】
図４に示すように、受信側無線通信装置２００は、無線ＬＡＮ通信部２１０＃１と、無線ＬＡＮ通信部２１０＃２と、ＨＤＭＩインターフェイス２２０と、記憶部２３０と、制御部２４０とを含む。
【００８８】
無線ＬＡＮ通信部２１０＃１は、送信側無線通信装置１１０，１２０，１３０との無線ＬＡＮ通信を実行する。無線ＬＡＮ通信部２１０＃２は、制御装置３００との無線ＬＡＮ通信を実行する。無線ＬＡＮ通信部２１０＃１は、送信側無線通信装置１１０，１２０，１３０毎に確立された無線回線＃１〜＃３を介して映像信号を受信する映像信号受信部に相当する。
【００８９】
ＨＤＭＩインターフェイス２２０は、ＨＤＭＩケーブルを介して表示装置５４０に接続される。ＨＤＭＩインターフェイス２２０は、映像信号を表示装置５４０への映像入力信号として出力する映像信号出力部に相当する。
【００９０】
記憶部２３０は、例えばメモリを用いて構成されており、制御部２４０によって実行されるプログラムを記憶すると共に、制御部２４０によって作業領域として使用される。
【００９１】
制御部２４０は、例えばＣＰＵを用いて構成されており、記憶部２３０に記憶されているプログラムを実行することによって、受信側無線通信装置２００の各種の機能を制御する。制御部２４０は、無線ＬＡＮ通信部２１０＃１が無線回線＃１〜＃３の何れかを介して映像信号を受信すると、受信した映像信号を表示装置５４０への映像入力信号として出力するようＨＤＭＩインターフェイス２２０を制御する。
【００９２】
また、制御部２４０は、無線ＬＡＮ通信部２１０＃２が入力切り替えコマンドを制御装置３００から受信すると、無線回線＃１〜＃３のうち無線ＬＡＮ通信部２１０＃１が映像信号を受信すべき無線回線を切り替えるよう制御する。例えば、制御部２４０は、無線回線＃１を介して受信した映像信号を表示装置５４０への映像入力信号として出力している際に、入力切り替えコマンドを受信すると、無線回線＃２を介して受信した映像信号を表示装置５４０への映像入力信号として出力するよう切り替える。
【００９３】
（２）映像伝送システムの動作
以下、本実施形態に係る映像伝送システムの動作について、（２．１）再生装置遠隔制御動作、（２．２）映像信号伝送動作、（２．３）連携制御動作の順に説明する。
【００９４】
（２．１）再生装置遠隔制御動作
図５は、本実施形態に係る再生装置制御動作を示すフローチャートである。ここでは、再生装置５１１を遠隔制御するケースを説明する。
【００９５】
図５に示すように、ステップＳ１１において、制御装置３００のリモコン受信部３１０は、リモコン３０１からの共通コマンドを受信する。
【００９６】
ステップＳ１２において、制御装置３００の制御部３４０は、リモコン受信部３１０が受信した共通コマンドを、再生装置５１１向けの個別コマンドに変換する。詳細には、制御部３４０は、記憶部３３０に記憶されている再生装置５１１用のコマンドテーブルの中から、リモコン受信部３１０が受信した共通コマンドに対応する個別コマンドを取得する。
【００９７】
ステップＳ１３において、制御装置３００の制御部３４０は、ステップＳ１２で取得した個別コマンドを送信側無線通信装置１１０に送信するよう無線ＬＡＮ通信部３２０を制御する。
【００９８】
ステップＳ１４において、送信側無線通信装置１１０の無線ＬＡＮ通信部１１３＃２は、制御装置３００からの個別コマンドを受信する。
【００９９】
ステップＳ１５において、送信側無線通信装置１１０の制御部１１５は、無線ＬＡＮ通信部１１３＃２が受信した個別コマンドを出力するよう赤外線送信部１１１を制御する。その結果、再生装置５１１が個別コマンドによって制御される。
【０１００】
（２．２）映像信号伝送動作
図６は、本実施形態に係る映像信号伝送動作を示すフローチャートである。ここでは、再生対象の再生装置が再生装置５１１であるケースを説明する。
【０１０１】
図６に示すように、ステップＳ２１において、送信側無線通信装置１１０のコンポジット信号入力部１１２は、コンポジットケーブルを介して再生装置５１１からのコンポジット信号が入力される。
【０１０２】
ステップＳ２２において、送信側無線通信装置１１０の制御部１１５は、コンポジット信号入力部１１２に入力されたコンポジット信号をＨＤＭＩ信号に変換する。
【０１０３】
ステップＳ２３において、送信側無線通信装置１１０の制御部１１５は、コンポジット信号を変換して得られたＨＤＭＩ信号を無線ＬＡＮによる無線回線＃１を介して受信側無線通信装置２００に送信するよう無線ＬＡＮ通信部１１３＃１を制御する。
【０１０４】
ステップＳ２４において、受信側無線通信装置２００の無線ＬＡＮ通信部２１０＃１は、無線回線＃１を介してＨＤＭＩ信号を受信する。
【０１０５】
ステップＳ２５において、受信側無線通信装置２００の制御部２４０は、無線ＬＡＮ通信部２１０＃１が受信したＨＤＭＩ信号を表示装置５４０への映像入力信号として出力するようＨＤＭＩインターフェイス２２０を制御する。その結果、表示装置５４０がＨＤＭＩ信号に応じた映像を表示する。
【０１０６】
（２．３）連携制御動作
以下、本実施形態に係る映像伝送システムの連携制御動作について説明する。なお、連携制御動作とは、映像伝送システムの何れかの装置に対する制御と連動させて、他の装置の動作を制御する動作を意味する。
【０１０７】
（２．３．１）連携制御動作１
入力切り替えを受信側無線通信装置２００に指示する制御装置３００は、入力切り替え時において、切り替え後の映像信号を出力すべき再生装置を電源オンするように、該再生装置に対応する送信側無線通信装置を遠隔制御し、且つ、切り替え前の映像信号を出力していた再生装置を電源オフするように、該再生装置に対応する送信側無線通信装置を遠隔制御する。
【０１０８】
例えば、再生対象の再生装置を再生装置５１１から再生装置５１２に切り替えるケースにおいては、制御装置３００は、再生装置５１２を電源オンするように送信側無線通信装置１２０を遠隔制御し、且つ、再生装置５１１を電源オフするように送信側無線通信装置１１０を遠隔制御する。すなわち、制御装置３００は、再生装置５１２を電源オンするための個別コマンドを送信側無線通信装置１２０に送信し、再生装置５１１を電源オフするための個別コマンドを送信側無線通信装置１１０に送信する。
【０１０９】
その結果、送信側無線通信装置１２０は再生装置５１２を電源オンするための個別コマンドを再生装置５１２に送信して再生装置５１２を電源オンし、送信側無線通信装置１１０は再生装置５１１を電源オフするための個別コマンドを再生装置５１１に送信して再生装置５１１を電源オフする。
【０１１０】
（２．３．２）連携制御動作２
制御装置３００は、表示装置５４０が電源オフしたことに基づいて、再生装置５１１，５１２，５１３の全てを電源オフするように、送信側無線通信装置１１０，１２０，１３０を遠隔制御する。
【０１１１】
受信側無線通信装置２００は表示装置５４０の電源オン／オフ状態を把握しており、制御装置３００は、受信側無線通信装置２００からの通知によって表示装置５４０の電源オフを検知することができる。なお、受信側無線通信装置２００は、例えばＨＤＭＩ信号におけるＴＭＤＳ信号のクロック検出を用いて表示装置５４０の電源オン／オフ状態を把握可能である。
【０１１２】
例えば、制御装置３００は、表示装置５４０の電源オフを検知すると、再生装置５１１を電源オフするための個別コマンドを送信側無線通信装置１１０に送信し、再生装置５１２を電源オフするための個別コマンドを送信側無線通信装置１２０に送信し、再生装置５１３を電源オフするための個別コマンドを送信側無線通信装置１３０に送信する。
【０１１３】
その結果、送信側無線通信装置１１０は再生装置５１１を電源オフするための個別コマンドを再生装置５１１に送信して再生装置５１１を電源オフし、送信側無線通信装置１２０は再生装置５１２を電源オフするための個別コマンドを再生装置５１２に送信して再生装置５１２を電源オフし、送信側無線通信装置１３０は再生装置５１３を電源オフするための個別コマンドを再生装置５１３に送信して再生装置５１３を電源オフする。
【０１１４】
（２．３．３）連携制御動作３
制御装置３００は、再生装置５１１，５１２，５１３のうち一の再生装置が電源オンしたことに基づいて、受信側無線通信装置２００が映像信号を受信すべき無線回線を、一の再生装置に対応する無線回線に切り替える。
【０１１５】
送信側無線通信装置１１０，１２０，１３０は再生装置５１１，５１２，５１３の電源オン／オフ状態をそれぞれ把握しており、制御装置３００は、送信側無線通信装置１１０，１２０，又は１３０からの通知によって、再生装置５１１，５１２，又は５１３の電源オンを検知することができる。なお、送信側無線通信装置１１０は、例えばコンポジット信号におけるＶ−Ｓｙｎｃ信号を用いて再生装置５１１の電源オン／オフ状態を把握可能である。また、送信側無線通信装置１２０は、例えばＨＤＭＩ信号におけるＴＭＤＳ信号のクロック検出を用いて再生装置５１２の電源オン／オフ状態を把握可能である。さらに、送信側無線通信装置１３０は、例えばＲＧＢ信号における各種同期信号を用いて再生装置５１２の電源オン／オフ状態を把握可能である。
【０１１６】
例えば、制御装置３００は、再生装置５１２の電源オンを検知すると、映像信号を受信すべき無線回線を無線回線＃２に切り替えるための制御コマンドを受信側無線通信装置２００に送信する。その結果、受信側無線通信装置２００は、映像信号を受信すべき無線回線を無線回線＃２に切り替える。
【０１１７】
（２．３．４）連携制御動作４
制御装置３００は、再生装置５１１，５１２，５１３の全てが電源オフしたことに基づいて、表示装置５４０を電源オフするよう制御する。
【０１１８】
送信側無線通信装置１１０，１２０，１３０は再生装置５１１，５１２，５１３の電源オン／オフ状態をそれぞれ把握しており、制御装置３００は、送信側無線通信装置１１０，１２０，１３０からの通知によって、再生装置５１１，５１２，５１３の全てが電源オフしたことを検知することができる。なお、送信側無線通信装置１１０は、例えばコンポジット信号におけるＶ−Ｓｙｎｃ信号を用いて再生装置５１１の電源オン／オフ状態を把握可能である。また、送信側無線通信装置１２０は、例えばＨＤＭＩ信号におけるＴＭＤＳ信号のクロック検出を用いて再生装置５１２の電源オン／オフ状態を把握可能である。さらに、送信側無線通信装置１３０は、例えばＲＧＢ信号における各種同期信号を用いて再生装置５１２の電源オン／オフ状態を把握可能である。
【０１１９】
例えば、制御装置３００は、再生装置５１１，５１２，５１３の全てが電源オフしたことを検知すると、表示装置５４０を電源オフための制御コマンドを受信側無線通信装置２００に送信する。受信側無線通信装置２００は、表示装置５４０を電源オフための制御コマンドを受信すると、ＨＤＭＩの制御コマンドを利用して、表示装置５４０を電源オフする。
【０１２０】
（３）実施形態の効果
以上説明したように、本実施形態によれば、再生装置５１１，５１２，５１３毎に送信側無線通信装置１１０，１２０，１３０を設けることによって、再生装置５１１，５１２，５１３が複数の部屋等に分散して設置される場合でも、再生装置５１１，５１２，５１３の近傍に送信側無線通信装置１１０，１２０，１３０を設置可能であるため、再生装置５１１，５１２，５１３と送信側無線通信装置１１０，１２０，１３０とを容易に接続できる。また、入力切り替え機能を受信側無線通信装置２００に持たせることによって、再生装置５１１，５１２，５１３に対して１つの表示装置５４０を使い回すことが可能である。従って、複数の部屋等に分散して設置された再生装置５１１，５１２，５１３が再生する映像を１つの表示装置５４０で表示できる映像伝送システムが提供される。
【０１２１】
さらに、本実施形態では、共通コマンドに基づいて制御装置３００が送信側無線通信装置１１０，１２０，１３０を遠隔制御し、送信側無線通信装置１１０，１２０，１３０のそれぞれが該遠隔制御に従って、自装置に対応する再生装置が解読可能な個別コマンドを該再生装置に出力する。これにより、ＨＤＭＩ−ＣＥＣ信号をサポートしていないアナログ方式等の再生装置についても遠隔制御することができる。また、リモコン３０１を操作するユーザは、例えばリビングに設置された表示装置５４０を用いて試聴しながら、複数の部屋に分散して設置されている再生装置５１１，５１２，５１３のそれぞれを遠隔制御することができる。
【０１２２】
本実施形態では、切り替え後の映像信号を出力すべき再生装置を電源オンするように、該再生装置に対応する送信側無線通信装置を制御装置３００が遠隔制御することによって、ユーザが該再生装置をオンするための操作を省略可能になるため、ユーザの利便性を高めることができる。また、切り替え前の映像信号を出力していた再生装置を電源オフするように、該再生装置に対応する送信側無線通信装置を制御装置３００が遠隔制御することによって、該再生装置の消費電力を削減可能になり、省エネルギー化を図ることができる。
【０１２３】
本実施形態では、表示装置５４０が電源オフしたことに基づいて、再生装置５１１，５１２，５１３の全てを電源オフするように、送信側無線通信装置１１０，１２０，１３０を遠隔制御することによって、各再生装置の消費電力を削減可能になり、省エネルギー化を図ることができる。
【０１２４】
本実施形態では、再生装置５１１，５１２，５１３のうち一の再生装置が電源オンしたことに基づいて、受信側無線通信装置２００が映像信号を受信すべき無線回線を、該一の再生装置に対応する無線回線に切り替えることによって、ユーザによる入力切り替え操作を省略可能になるため、ユーザの利便性を高めることができる。
【０１２５】
本実施形態では、再生装置５１１，５１２，５１３の全てが電源オフしたことに基づいて、表示装置５４０を電源オフすることによって、表示装置５４０の消費電力を削減可能になり、省エネルギー化を図ることができる。
【０１２６】
本実施形態では、送信側無線通信装置１１０，１２０，１３０のそれぞれは、自装置に対応する再生装置からアナログ映像信号が入力される場合に、該アナログ映像信号をＨＤＭＩ信号に変換した上で送信する。これにより、アナログ方式の再生装置を用いる場合でも、映像信号をデジタル伝送することが可能になる。
【０１２７】
（４）実施形態の変更例
上述した実施形態では、制御装置３００が単体で構成されていたが、本変更例では、制御装置３００は受信側無線通信装置２００に内蔵される。
【０１２８】
図７は、本変更例に係る映像伝送システムの全体概略構成図である。ここでは、上述した実施形態との相違点を説明する。
【０１２９】
図７に示すように、本変更例に係る映像伝送システムでは、受信側無線通信装置２００は、制御装置３００’を内蔵する。この場合、受信側無線通信装置２００及び制御装置３００’で筐体が共通化される。また、制御部としてのＣＰＵや記憶部としてのメモリ等は、受信側無線通信装置２００及び制御装置３００’で兼用してもよい。
【０１３０】
本変更例によれば、制御装置３００が受信側無線通信装置２００に内蔵されるため、制御装置としてのサーバを別途設ける必要が無く、コスト等を削減できる。
【０１３１】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１３２】
上述した実施形態では、省エネルギー化を図るために、再生装置５１１，５１２，５１３の何れか１つが映像を再生するケースを説明したが、再生装置５１１，５１２，５１３の全てが並行して映像を再生してもよい。再生装置５１１，５１２，５１３の全てが並行して映像を再生し、送信側無線通信装置１１０，１２０，１３０の全てが並行して映像信号を送信する。受信側無線通信装置２００は、各映像信号を受信するが、これらの映像信号のうちの１つを表示装置５４０への映像入力信号として出力し、残りの映像信号については記憶部２３０に一時的に記憶（バッファリングあるいはキャッシング）する。そして、受信側無線通信装置２００は、入力切り替えが制御装置３００から指示された場合に、記憶部２３０に記憶していた映像信号の中から切り替え後の映像信号を出力する。これにより、入力切り替えを即座に実施することが可能になり、表示装置５４０に表示される映像の瞬断期間を短縮できる。
【０１３３】
上述した実施形態では、送信側無線通信装置１１０，１２０，１３０と受信側無線通信装置２００との間の無線通信に無線ＬＡＮを利用していたが、無線ＬＡＮに代えてワイヤレスＨＤＭＩを利用してもよい。ただし、ワイヤレスＨＤＭＩは、壁を越えての無線通信が難しいため、ワイヤレスＨＤＭＩよりも無線ＬＡＮを利用する方が好ましい。
【０１３４】
また、送信側無線通信装置１１０，１２０，１３０がインターネットにもアクセス可能に構成されていてもよい。この場合、送信側無線通信装置１１０，１２０，１３０は、インターネット上に設けられた再生装置としての映像配信サーバからの映像信号を受信し、該受信した映像信号を受信側無線通信装置２００に送信する。この場合、制御装置３００内のコマンド変換テーブルに包含されていない装置のコマンド体系や、新しい装置のコマンド追加分をインターネット上のサーバからダウンロードして取得する様態であってもよい。
【０１３５】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１３６】
１１０，１２０，１３０…送信側無線通信装置、１１１…赤外線送信部、１１２…コンポジット信号入力部、１１３＃１，１１３＃２…無線ＬＡＮ通信部、１１４…記憶部、１１５…制御部、１２０…送信側無線通信装置、１２１…ＨＤＭＩインターフェイス、１２３＃１，１２３＃２…無線ＬＡＮ通信部、１２４…記憶部、１２５…制御部、１３０…送信側無線通信装置、１３１…有線ＬＡＮインターフェイス、１３２…ＲＧＢ信号入力部、１３３＃１，１３３＃２…無線ＬＡＮ通信部、１３４…記憶部、１３５…制御部、２００…受信側無線通信装置、２１０＃１，２１０＃２…無線ＬＡＮ通信部、２２０…ＨＤＭＩインターフェイス、２３０…記憶部、２４０…制御部、３００…制御装置、３０１…リモコン、３１０…リモコン受信部、３２０…無線ＬＡＮ通信部、３３０…記憶部、３４０…制御部、５１１，５１２，５１３…再生装置、５１２…再生装置、５１３…再生装置、５２０…送信側無線通信装置、５２１…リモコン、５３０…受信側無線通信装置、５４０…表示装置、５４１…リモコン
【図１】
2012161038.tif 000003
【図２】
2012161038.tif 000004
【図３】
2012161038.tif 000005
【図４】
2012161038.tif 000006
【図５】
2012161038.tif 000007
【図６】
2012161038.tif 000008
【図７】
2012161038.tif 000009
【図８】
2012161038.tif 000010